(57)【要約】【課題】番組全体を視聴するための複数の取得方法を一括してユーザに提供するテレビジョン装置を提供すること。【解決手段】テレビジョン装置１は、所定の放送番組の全体を最初から録画するための録画補完機能として、録画部７にて各チャンネルの放送番組をリングバッファに一時録画しておき、リングバッファから所定の放送番組を検索して入手する一時録画検索部２０３と、所定の放送番組と同一番組がその後再放送される予定を検索し、再放送の録画予約を行って入手する再放送検索録画部２０４〜２０７と、通信部１０６を介して外部装置６が提供するコンテンツを検索し、所定の放送番組と同一のコンテンツを取得する外部コンテンツ取得部２０８〜２１１と、を有する。一時録画検索部と、再放送検索録画部と、外部コンテンツ取得部によるそれぞれの処理には、優先度を設定する。【選択図】図４
2018050165.tif 000002
【特許請求の範囲】
【請求項１】
放送番組を受信して表示するとともに受信した放送番組を録画部にて録画するテレビジョン装置において、
放送波から所定のチャンネルを選局するチューナを含む放送受信部と、
選局した放送番組、あるいは前記録画部で再生された放送番組を表示する表示部と、
ネットワークを介して外部装置と通信する通信部と、
前記録画部の録画動作を制御するとともに、前記通信部を介して前記外部装置からコンテンツを取得する制御部と、を備え、
前記制御部は、所定の放送番組の全体を最初から録画するための録画補完機能として、
前記録画部にて各チャンネルの放送番組をリングバッファに一時録画しておき、前記リングバッファから前記所定の放送番組を検索して入手する一時録画検索部と、
前記所定の放送番組と同一番組がその後再放送される予定を検索し、再放送の録画予約を行って入手する再放送検索録画部と、
前記通信部を介して前記外部装置が提供するコンテンツを検索し、前記所定の放送番組と同一のコンテンツを取得する外部コンテンツ取得部と、を有し、
前記制御部は、前記一時録画検索部と、前記再放送検索録画部と、前記外部コンテンツ取得部によるそれぞれの処理に優先度を設定して行わせることを特徴とするテレビジョン装置。
【請求項２】
請求項１に記載のテレビジョン装置において、
前記表示部には、前記制御部が行う一時録画、再放送検索、及び外部コンテンツ取得を含む録画補完機能の処理状況を一括して通知するとともに、ユーザが処理を選択する選択画面を表示することを特徴とするテレビジョン装置。
【請求項３】
請求項１に記載のテレビジョン装置において、
前記放送受信部は前記チューナを複数個有し、前記録画部は前記リングバッファに、前記複数のチューナで選局された複数のチャンネルについて同時に一時録画するものであって、
前記一時録画する前記複数のチャンネルには、予め優先して録画する優先チャンネルとその優先度を設定して割り当てることを特徴とするテレビジョン装置。
【請求項４】
請求項３に記載のテレビジョン装置において、
前記表示部にて表示している放送番組のチャンネルが前記優先チャンネル以外の場合は、前記優先チャンネルのうち優先度が最下位のチャンネルと入れ替えて前記表示しているチャンネルの一時録画を行うことを特徴とするテレビジョン装置。
【請求項５】
請求項１に記載のテレビジョン装置において、
前記再放送検索録画部は、前記所定の放送番組の再放送の予定について、当該放送番組の放送局と他の放送局に対して検索することを特徴とするテレビジョン装置。
【請求項６】
請求項１に記載のテレビジョン装置において、
前記外部コンテンツ取得部は、前記外部装置が提供するコンテンツを無料コンテンツと有料コンテンツに分けて検索し、有料コンテンツについてはユーザが購入するための画面を提示することを特徴とするテレビジョン装置。
【発明の詳細な説明】
【技術分野】
【０００１】
本発明は、放送番組を録画するテレビジョン装置に関する。
【背景技術】
【０００２】
ユーザがテレビジョン装置で放送番組を視聴中に、気に入った番組である場合、その番組を最初から全部見たい場合がある。それに対応する先行技術として、以下の方法が知られている。
（１）一時記録手段を利用して追いかけ再生し番組の最初から録画する方法。例えば特許文献１には、短時間記録部で所定チャンネルをエンドレスに記録しておき、これと長時間記録部を組み合わせることで、途中から視聴しても、番組最初に遡って録画・再生できることが記載されている。
（２）気に入った番組の再放送を検索して録画予約する方法。例えば特許文献２には、録画要求のあった番組の再放送が近い将来放送される予定があるかどうかを検索し、録画予約を設定すること、外部サーバに番組情報を送信して再放送の有無を検索することも可能であること、が記載されている。
（３）気に入った番組と同一コンテンツをネットワーク経由で取得する方法。例えば特許文献３には、記録センターでは放送された全番組データを保存しており、ユーザは記録センターから録画したい番組を要求して取得できることが記載されている。
【先行技術文献】
【特許文献】
【０００３】
【特許文献１】特開２００２−１５２６４８号公報
【特許文献２】特開２００４−０４８５２１号公報
【特許文献３】特開２００３−３２４６７５号公報
【発明の概要】
【発明が解決しようとする課題】
【０００４】
上記した先行技術は、気に入った番組を最初から全部見たい場合に有効であるものの、状況によっては、必ずしもユーザを満足させることができない場合がある。例えば（１）の追いかけ再生では、一時記録手段の記録容量が十分確保されていないと、番組全体を完全に録画できないことになる。また（２）の再放送検索では、同一番組の再放送の予定がない場合、あるいは再放送の予定があっても日数がかかる場合には、すぐに番組を見たいユーザを満足させることができない。（３）のコンテンツ取得方法では、見たい番組が存在しても有料コンテンツの場合にはユーザは購入をためらう場合もある。
【０００５】
このように、番組全体を視聴するための（１）〜（３）の技術は個々に長所と短所を有しており、ユーザはそのときの状況に応じて取得方法を適宜選択できることが望ましい。しかしながら従来の技術では、これらの取得方法を一括してユーザに提供するものではなく、ユーザは個別に対応せねばならず不便であった。
【０００６】
本発明は、上記課題に鑑みて為されたものであり、番組全体を視聴するための複数の取得方法を一括してユーザに提供するテレビジョン装置を提供するものである。
【課題を解決するための手段】
【０００７】
本発明は、放送番組を受信して表示するとともに受信した放送番組を録画部にて録画するテレビジョン装置において、放送波から所定のチャンネルを選局するチューナを含む放送受信部と、選局した放送番組、あるいは前記録画部で再生された放送番組を表示する表示部と、ネットワークを介して外部装置と通信する通信部と、前記録画部の録画動作を制御するとともに、前記通信部を介して前記外部装置からコンテンツを取得する制御部と、を備える。前記制御部は、所定の放送番組の全体を最初から録画するための録画補完機能として、前記録画部にて各チャンネルの放送番組をリングバッファに一時録画しておき、前記リングバッファから前記所定の放送番組を検索して入手する一時録画検索部と、前記所定の放送番組と同一番組がその後再放送される予定を検索し、再放送の録画予約を行って入手する再放送検索録画部と、前記通信部を介して前記外部装置が提供するコンテンツを検索し、前記所定の放送番組と同一のコンテンツを取得する外部コンテンツ取得部と、を有する。前記制御部は、前記一時録画検索部と、前記再放送検索録画部と、前記外部コンテンツ取得部によるそれぞれの処理に優先度を設定して行わせる。
【発明の効果】
【０００８】
本発明によれば、ユーザはそのときの状況に応じて番組全体を視聴するための取得方法を適宜選択できるので使い勝手が向上する。
【図面の簡単な説明】
【０００９】
【図１】本発明を適用する録画システムの全体構成を示す図。
【図２】テレビジョン装置の内部構成を示すブロック図。
【図３】番組全体を入手する各種方法を説明する図。
【図４】テレビジョン装置の録画補完機能のブロック構成を示す図。
【図５】録画部での一時録画の動作を説明する図。
【図６】一時録画における優先チャンネルの設定を説明する図。
【図７】録画補完動作のフローチャートを示す図。
【図８】録画補完動作の処理状況の表示と選択画面の例を示す図。
【図９】再放送の検索について説明する図。
【図１０】ＶＯＤコンテンツの検索表示の例を示す図。
【発明を実施するための形態】
【００１０】
図１は、本発明を適用する録画システムの全体構成を示す図である。録画システムは、テレビジョン装置１と録画部７と屋内レコーダ２を備えて構成される。テレビジョン装置１は、放送局３から送出された放送番組を放送波３０、あるいはネットワーク（外部ネットワーク４ａ、屋内ネットワーク４ｂ、ルータ５）を介して受信して、映像／音声を表示／出力する。ユーザ１０は、リモコン８を用いて視聴したいチャンネルや番組を選択し、かつ番組の録画または録画予約を行う。また、必要に応じて、外部ネットワーク４ａを介して外部サーバ６から番組コンテンツを取得して、視聴／録画することもできる。番組の録画先はテレビジョン装置１に接続された（または内蔵された）ＨＤＤなどの録画部７、または屋内ネットワーク４ｂに接続された屋内レコーダ（録画装置）２にて行う。
【００１１】
本実施例の録画システムでは、外部サーバ６から番組コンテンツや番組情報を取得すること、録画先として屋内レコーダ２を追加したことで、番組の取得機能と録画機能を拡大させている。
【００１２】
図２は、テレビジョン装置の内部構成を示すブロック図である。テレビジョン装置１は、システムバス１００、ＣＰＵ（主制御部）１０１、ＲＯＭ（Read Only Memory）１０２、ＲＡＭ（Random Access Memory）１０３、録画部（ＨＤＤ）１０４、外部インターフェース１０５、通信部１０６、操作部１０７、放送受信部１０８、映像処理部１０９、音声処理部１１０、計時部１１１を備えて構成される。録画部１０４は図１の録画部７に相当するが、別に備えて構成してもよい。
【００１３】
システムバス１００は、ＣＰＵ１０１とテレビジョン装置１内の各部との間でデータ送受信を行うためのデータ通信路である。ＣＰＵ１０１は、所定のプログラムに従ってテレビジョン装置１全体を制御するマイクロプロセッサユニットである。
【００１４】
ＲＯＭ１０２は、オペレーティングシステムなどの基本動作プログラムやその他のアプリケーションプログラムが格納されたメモリであり、例えばＥＥＰＲＯＭやフラッシュＲＯＭのような書き換え可能なＲＯＭが用いられる。ＲＯＭ１０２に格納されたプログラムを更新することにより、基本動作プログラムやその他のアプリケーションプログラムのバージョンアップや機能拡張が可能である。ここには、放送番組の録画制御やコンテンツ入手のための検索機能等を実行するためのアプリケーションプログラムを格納している。
【００１５】
ＲＡＭ１０３は、基本動作プログラムやその他のアプリケーションプログラム実行時のワークエリアとなる。ここには、テレビ放送から受信した電子番組表（ＥＰＧ）や、ユーザが登録した録画予約表も記憶されている。
【００１６】
録画部（ＨＤＤ）１０４は、受信した放送番組の映像・音声データの録画・再生を行う。その際、リングバッファ方式で全番組を一時録画し、ユーザが必要な箇所を再生するタイムシフト再生機能を備えるものが好ましい。録画部１０４は、ＨＤＤの代わりに、フラッシュＲＯＭやＳＳＤ（Solid State Drive）等のデバイスでもよい。録画部１０４は、テレビジョン装置１に内蔵する構成でも、外部に接続する構成でもよい。
【００１７】
外部インターフェース１０５は、テレビジョン装置１の機能を拡張するためのインターフェース群である。映像入力インターフェース１０５ａ及び音声入力インターフェース１０５ｂは、外部映像／音声出力機器からの映像信号／音声信号の入力を行う。ＵＳＢインターフェース１０５ｃは、キーボード等のＵＳＢ機器若しくはメモリカード類の接続等を行う。
【００１８】
通信部１０６は、外部ネットワーク４ａと情報の送受信を行うための無線ＬＡＮ通信部１０６ａと、屋内ネットワーク４ｂで情報の送受信を行うための近距離無線通信部１０６ｂで構成される。また、図１の屋内レコーダ２等で録画・再生を行う場合は、屋内ネットワーク４ｂに接続すればよい。
【００１９】
操作部１０７は、テレビジョン装置１に対する操作指示（番組選択や録画指示）の入力を行う指示入力部であり、操作ボタン１０７ａ及びリモコン８からの赤外線信号を受信するリモコン受信部１０７ｂで構成される。
【００２０】
放送受信部１０８は、チューナ１０８ａ、分離部１０８ｂ、エンコーダ／デコーダ１０８ｃで構成される。チューナ１０８ａは、アンテナが受信した放送波からユーザが選局したチャンネルの信号を抽出し、ＴＳ（Transport Stream）信号を復調する。分離部１０８ｂは、前記ＴＳ信号をそれぞれパケット化された映像データと音声データと付随情報データとに分離する。エンコーダ／デコーダ１０８ｃは、分離部１０８ｂから出力された映像データ、音声データ、付随情報データをデコードし、映像信号は映像処理部１０９へ、音声信号は音声処理部１１０に出力する。付随情報データからは、各番組の番組名、ジャンル、放映開始／終了日時、等の番組情報を含むＳＩ（Service Information）情報等を取得する。
【００２１】
映像処理部１０９は、映像データ処理部１０９ａとディスプレイ（表示部）１０９ｂで構成される。映像データ処理部１０９ａは、エンコーダ／デコーダ１０８ｃや映像入力インターフェース１０５ａから入力した映像データ、通信部１０６により受信した映像データ、或いは録画部１０４から再生された映像データ等に対して、必要に応じてフォーマット変換、メニューやその他のＯＳＤ（On Screen Display）データの重畳処理等を行う。ディスプレイ（表示部）１０９ｂは、例えば液晶パネルのような表示デバイスであり、映像データ処理部１０９ａで処理した映像を表示する。
【００２２】
音声処理部１１０は、音声データ処理部１１０ａ、スピーカ１１０ｂで構成される。音声データ処理部１１０ａは、エンコーダ／デコーダ１０８ｃや音声入力インターフェース１０５ｂから入力した音声データ、通信部１０６により受信した音声データ、或いは録画部１０４から再生された音声データ等に対して、必要に応じてフォーマット変換等の処理を行う。スピーカ１１０ｂは、音声データ処理部１１０ａで処理した音声を出力する。
【００２３】
計時部１１１は、現在の日時・時刻及び曜日の情報を出力するとともに、ＲＴＣ（Real Time Clock）回路などを用いて経過時間の計測を行う。
【００２４】
次に、テレビジョン装置１による録画動作について説明する。ユーザがある番組を視聴し途中でその番組を気に入った場合、その番組全体を最初から録画すること、またはその番組と同一のコンテンツを取得する方法について説明する。
【００２５】
図３は、番組全体（コンテンツ）を入手する各種方法を説明する図である。  
（ａ）は録画欠落部発生を示す図である。放送番組Ａを視聴しているユーザが途中でその番組を気に入り録画開始したとしても、当然ながら録画開始前の部分は録画されておらず、録画欠落部分となる。
【００２６】
（ｂ）は録画欠落部分を一時記録から入手する方法である。録画部７（屋内レコーダ２）では、番組Ａを含む各チャンネルの放送番組を全録画モードでリングバッファに取り込んでおく。そして、番組Ａの録画開始にしたがって録画開始以前の未録画部分（欠落部分）をリングバッファから入手し、番組全体を録画するものである。
【００２７】
（ｃ）は再放送から入手する方法である。放送局３から番組Ａと同一番組がその後再放送される予定を検索し、録画部７に録画予約して入手するものである。特にＣＡＴＶなどでは同一番組が何度も再放送されることが多く、時には他の放送局で放送される場合もある。
【００２８】
（ｄ）はＶＯＤ（Video On Demand）から入手する方法である。放送局が運営しているＶＯＤサービス、コンテンツプロバイダからのＶＯＤ配信などを利用して、番組Ａと同一コンテンツをダウンロードする。この場合、有料コンテンツについてはユーザが購入する処理が伴う。
【００２９】
以上の各方法によって、録画開始前の番組欠落部分を録画（入手）することを、「録画補完機能」と呼ぶことにする。
【００３０】
図４は、テレビジョン装置の録画補完機能のブロック構成を示す図である。テレビジョン装置１のＲＯＭ１０２には、放送番組の録画補完処理を行うためのプログラムが格納されており、ＲＡＭ１０３に展開され、ＣＰＵ１０１により実行される。その結果、図３で示した各方法による録画補完機能を実現する。
【００３１】
放送受信部１０８は受信した放送波から指定されたチャンネルを選局し、映像処理部１０９と音声処理部１１０は映像・音声信号を処理して出力する。計時部１１１は、ユーザの視聴時間を計測し、同一チャンネルを所定時間（例えば５分間）継続して視聴していれば、その番組を気に入っていると判断し、録画部７（１０４）に対し自動録画を開始させる。前記したように、自動録画では番組の最初の部分が欠落する場合がある。以下、欠落した部分を入手するための録画補完機能部２００（破線で示す）の構成を説明する。
【００３２】
コンテンツ入手処理部２０１は、視聴している番組全体を入手するための処理を行う。そのため条件判定部２０２は、図３に示した番組（コンテンツ）の入手方法のいずれを選択するかを判定する。
【００３３】
一時録画検索部２０３は、録画部７（１０４）や屋内レコーダ２の一時録画された番組（チャンネル）を検索する。該当する番組が一時録画されていればそれを保存し、映像処理部１０９と音声処理部１１０に転送する。
【００３４】
ＥＰＧ検索部２０４は、電子番組表（ＥＰＧ）を参照し所定期間（例えば今後１週間）の範囲で再放送の予定を検索する。放送局ＨＰ検索部２０５は、他の放送局も含め放送局ホームページを参照して、同一番組の再放送予定を検索する。
【００３５】
再放送録画設定部２０６は、録画予約部２０７に対し再放送の録画可否の問合せ／自動録画予約を行う。録画予約部２０７は、録画部７（１０４）や屋内レコーダ２に対し、指定された番組の録画予約を行う。  
上記のＥＰＧ検索部２０４、放送局ＨＰ検索部２０５、再放送録画設定部２０６、録画予約部２０７は、まとめて「再放送検索録画部」と呼ぶ。
【００３６】
無料ＶＯＤ検索部２０８は、通信部１０６を介し外部サーバ６にアクセスし、視聴可能なＶＯＤサービスのコンテンツリスト内で、指定された無料コンテンツを検索する。無料コンテンツ再生部２０９は、映像処理部１０９に対し無料コンテンツの紹介画面を表示する。ユーザから再生開始指示を受けると、該当する無料コンテンツを取得して再生する。
【００３７】
有料ＶＯＤ検索部２１０は、通信部１０６を介し外部サーバ６にアクセスし、視聴可能なＶＯＤサービスのコンテンツリスト内で、指定された有料コンテンツを検索する。有料コンテンツ再生部２１１は、映像処理部１０９に対し有料コンテンツの紹介画面と閲覧に要する金額を表示し、ユーザに購入／視聴可否を選択させる。
【００３８】
無料コンテンツ再生部２０９、あるいは有料コンテンツ再生部２１１にてユーザが再生（視聴）を指示すると、該当するコンテンツを取得して映像処理部１０９と音声処理部１１０に転送し、ユーザはこれを視聴する。  
上記の無料ＶＯＤ検索部２０８、無料コンテンツ再生部２０９、有料ＶＯＤ検索部２１０、有料コンテンツ再生部２１１は、まとめて「外部コンテンツ取得部」と呼ぶ。
【００３９】
図５は、録画部での一時録画の動作を説明する図である。テレビジョン装置１の録画部７（１０４）では、放送されている各チャンネルの番組について一時録画している（屋内レコーダ２で録画する場合も同様である）。すなわち、複数のチューナＡ〜Ｄを搭載し、ユーザの視聴チャンネルを含む複数のチャンネルＣＨ１〜ＣＨ４について常時録画している（全録機能ともいわれる）。なお、録画部の記録容量は有限であるので、各チャンネルの番組をリングバッファ方式で記録し、記録が一巡すると時間的に古い部分を消去し新しい内容で書き換える。
【００４０】
一方、ユーザは視聴している番組が気に入ったとき、リモコン８を操作して録画処理を行う。あるいは、この処理はユーザの操作に依らず自動録画も可能である。例えば、計時部１１１によりユーザの視聴時間を測定し、同一番組の継続視聴時間が所定時間以上となった場合、その番組がお気に入り番組であると判定し、自動録画を開始する。
【００４１】
例えば、ユーザがＣＨ３を視聴していてその番組がお気に入り番組であると判定すると、リングバッファで一時録画していたＣＨ３の既録画部分を消去せずに保存する。
【００４２】
このようにして録画部７には、お気に入りの番組（ア）（イ）（ウ）を番組の最初から保存することができる。なお、ユーザが途中から見た番組については、その視聴開始位置にインデックスを付与しておけば、後で再生視聴するときに便利である。
【００４３】
図６は、一時録画における優先チャンネルの設定を説明する図である。テレビジョン装置１では、搭載するチューナ数が限られるので、放送される全チャンネルについて一時録画できない場合がある。例えば、図６のようにチューナが３台（Ａ，Ｂ，Ｃ）のみの場合、同時に録画できるのは３つのチャンネル（ＣＨ−Ａ，ＣＨ−Ｂ，ＣＨ−Ｃ）に限定される。そこで、予め優先して録画するチャンネル（優先チャンネル）とその優先度を設定しておき、一時録画するチャンネルに割り当てる。この例では、ＣＨ１，ＣＨ４，ＣＨ５を優先チャンネルとし、この順に優先度を設定している。例えば、ユーザがよく視聴するチャンネルを優先チャンネルに設定することで、お気に入り番組の欠落部分を一時録画によりリカバリできる可能性が高まる。
【００４４】
また、ユーザが視聴しているチャンネル（すなわちディスプレイ１０９ｂにて表示しているチャンネル）が優先チャンネル以外の場合は、優先チャンネルのうち優先度が最下位のチャンネルと入れ替えて一時録画を行う。例えば、ユーザが非優先チャンネルのＣＨ３を視聴したときは、優先度が最下位のＣＨ５をＣＨ３に切り替えて一時録画を行う。これにより、ＣＨ３がお気に入り番組とされたとき、一時録画によりリカバリできる可能性が高まる。
【００４５】
なお、優先度はチャンネル単位で設定するだけでなく、番組の種類（ジャンル）や出演者などを基準に設定してもよい。
【００４６】
図７は、録画補完動作のフローチャートを示す図である。ユーザが所望する番組全体を録画したいとき、各種の補完方法を一括して管理し、一時録画の保存、再放送の録画予約、さらにはＶＯＤでのコンテンツ入手への切り替えを行うものである。この処理は、録画補完機能部２００のコンテンツ入手処理部２０１および条件判定部２０２が行う。以下、ステップ順に説明する。
【００４７】
Ｓ３０１：ユーザが視聴している番組がお気に入り番組であると判定し、当該番組の録画を開始する。例えば、ユーザが同一チャンネルを所定時間継続して視聴している場合はお気に入り番組と判定し、その番組の録画を自動的に開始する。もちろん、ユーザの操作で録画開始してもよい。
【００４８】
Ｓ３０２：一時録画検索部２０３は、録画部７の一時録画チャンネルを検索し、ユーザ視聴チャンネルの一時録画（リングバッファ方式）が行われているかどうかを判定する。その際、一時録画検索部２０３は、屋内レコーダ２のチューナも含めて検索する。チューナ数が不足している場合には、一時録画されていない場合がありえる。  
Ｓ３０３：ユーザ視聴チャンネルが一時録画されていれば、当該番組の一時録画部分を保存する。これにより、当該番組全体を録画・保存することができる。
【００４９】
Ｓ３０４：ユーザ視聴チャンネルが一時録画されていないときは、同一番組の再放送の有無を検索する。そのためＥＰＧ検索部２０４や放送局ＨＰ検索部２０５により、同一番組の再放送の有無を判定する。  
Ｓ３０５：検索の結果再放送の予定がある場合は、再放送録画設定部２０６により録画予約部２０７に対し再放送の録画予約を行う。ただし、録画部７におけるチューナ数が不足している場合は、録画予約を行わずＳ３０６へ移行する。
【００５０】
Ｓ３０６：検索の結果再放送の予定がない場合は、無料ＶＯＤ検索部２０８によりＶＯＤサービスのコンテンツリストを検索し、指定された無料コンテンツの有無を判定する。
Ｓ３０７：無料コンテンツがある場合は、無料コンテンツ再生部２０９により、無料コンテンツの紹介画面を表示する。ユーザが再生開始指示を行うと、無料コンテンツを取得して再生する。
【００５１】
Ｓ３０８：無料コンテンツがない場合は、有料ＶＯＤ検索部２１０によりＶＯＤサービスのコンテンツリストを検索し、指定された有料コンテンツの有無を判定する。  
Ｓ３０９：有料コンテンツがある場合は、有料コンテンツ再生部２１１により購入承認の画面を表示する。これには購入金額等が表示される。また、非会員に対して会員登録を促す画面を表示してもよい。  
Ｓ３１０：ユーザが購入を承認すると、有料コンテンツ再生部２１１は該当する有料コンテンツを取得して再生する。
【００５２】
Ｓ３１１：有料コンテンツがない場合は、予約録画スタックに登録しておく。これにより、現時点で取得できなかった番組を表示する。また、未取得の番組については、Ｓ３０４以降の処理を繰り返してリトライすることも可能である。
【００５３】
上記のフローでは録画補完方法の選択として、一時録画から取り込むのを最優先とし、それが不可能な場合には、再放送の録画予約、無料コンテンツ取得、有料コンテンツ取得の順に可能性を探るフローとなっている。ただし、テレビジョン装置が備えるチューナリソースの状況、ＶＯＤサービスの会員登録状況などに応じて、優先順序を適宜入れ替えて設定してもよい。
【００５４】
また、上記のフローは、ユーザが気に入った番組を最初から録画するための補完方法として説明したが、ユーザの意思でチャンネルを変更して録画を開始する場合もある。そのときは、同時録画可能とするチューナリソース確保のために、コンテンツ入手法を再放送の録画、無料コンテンツや有料コンテンツ取得に切り替えるのがよい。  
以下、録画補完動作における個別の処理について具体的に説明する。
【００５５】
図８は、録画補完動作の処理状況の表示と選択画面の例を示す図である。図７の録画補完のフローにおいては、一時録画、再放送の録画、ＶＯＤコンテンツ入手などの処理を切り替えて実行するが、ユーザに対しこれらの処理が可能か否かを一括して通知するとともに、ユーザが処理を選択するための画面を提示する。
【００５６】
ボタン４０１は、視聴している番組の一時録画が存在することを示し、これを選択すると当該番組全体を保存する。ボタン４０２は、視聴している番組の再放送を検索し、予約録画するためのものである。ボタン４０３は、無料ＶＯＤを検索するためのものである。ボタン４０４は、有料ＶＯＤを検索するためのものであり、さらに有料コンテンツの購入可否の選択を行うものである。
【００５７】
上記のボタン４０２〜４０４は、再放送やＶＯＤ検索の結果、入手可能な場合に表示するようにしてもよい。そして、これらのボタンを表示した時点で、途中からの録画を開始し、ボタン４０２〜４０４のいずれかを選択したところで録画を中止する。このように、各種の録画補完処理を一括して表示することで、ユーザの使い勝手を向上させている。
【００５８】
図９は、再放送の検索について説明する図である。各チャンネルの放送番組表を示している。例えば、ユーザがＣＨ１の「ドラマ：春の嵐」を視聴して、気に入った番組であるが途中から見たので最初の部分が未録画であったとする。気に入った番組の再放送を検索（Ｓ３０４）した結果、ＣＨ５で数時間後に再放送があることが判明し、その録画予約（Ｓ３０５）を行った場合である。このように、同一チャンネルのみならず、他のチャンネル（放送局）やＣＡＴＶなどのチャンネルも検索することで、ヒットする可能性が高まる。
【００５９】
図１０は、ＶＯＤコンテンツの検索表示の例を示す図である。  
（ａ）は、無料ＶＯＤ検索（Ｓ３０６）、または有料ＶＯＤ検索（Ｓ３０８）の結果として、見つかった複数のコンテンツをリスト表示している。一画面に全リストが入らない場合は、「前ページ」「次ページ」でページ切り替えを行う。ユーザが所望のコンテンツを選ぶと、下記（ｂ）または（ｃ）のような、再生可否をユーザに問い合わせる画面となる。
【００６０】
（ｂ）は、無料ＶＯＤ検索（Ｓ３０６）にて検索された無料コンテンツを表示している。「続きから再生」ボタンを選ぶと、テレビで見ていた場面から再生する。「先頭から再生」ボタンを選ぶと、コンテンツを先頭から再生する。ボタンを表示せずに、自動的に先頭から再生してもよい。
【００６１】
（ｃ）は、有料ＶＯＤ検索（Ｓ３０８）にて検索された有料コンテンツを表示している。この場合コンテンツは有料であるため、「購入・再生」ボタンによりユーザに購入可否の判断を要求する画面となっている。
【００６２】
ＶＯＤコンテンツの取得では、以下のように様々な入手法が可能である。
（１）放送局が供給している「見逃し配信」のようなＶＯＤを検索し、抽出した当該番組の再生開始画面をユーザに提供する。
（２）放送番組（例えば映画の場合）と同一のコンテンツを、各社ＶＯＤで検索し、抽出した当該番組の再生開始画面をユーザに提供する。
（３）放送番組（例えば映画の場合）と同一のコンテンツを、動画コンテンツのダウンロード販売で検索し、購入画面をユーザに提示する。
【００６３】
また、上記（１）〜（３）の入手方法をユーザが選択するＶＯＤ選択画面を提示する。基本的にはデフォルトで再放送録画を優先させるが、再放送録画が不可能なとき、そのタイミングでＶＯＤ選択画面を提示する。
【００６４】
上記した実施例の変形例を述べる。
（１）現在視聴している番組だけでなく、ＥＰＧで表示される過去の番組表から気に入った番組を見つけた場合も、再放送録画またはＶＯＤ検索を可能とする。
（２）録画機能を持たないテレビジョン装置の場合は、「もう一度見たい」ボタンを設ける。ユーザが視聴しているときに、「もう一度見たい」ボタンを押すと、自動的に屋内レコーダを検索し、録画指示や再放送録画予約指示を行う。
（３）放送番組の途中から録画を開始した場合、録画した番組で途中から見るか、別途再放送またはＶＯＤで入手した番組で最初から見るかを選択可能とする。
（４）複数のコンテンツで構成されるテレビ番組シリーズの場合、そのシリーズの最初の番組から入手する方法（再放送、ＶＯＤ）を提示する。
（５）予約録画スタックに登録したお気に入り番組について、自動で再放送録画予約またはＶＯＤ検索をリトライする。そして、それぞれの番組について録画予約状況（再放送予定日）やＶＯＤ検索結果（コンテンツ有無）の情報を更新して表示する。ユーザはそれを参照して番組を選択し、視聴することができる。
【符号の説明】
【００６５】
１…テレビジョン装置、
２…屋内レコーダ、
３…放送局、
４ａ，４ｂ…ネットワーク、
６…外部サーバ、
７…録画部（ＨＤＤ）、
１０４…録画部（ＨＤＤ）、
１０６…通信部、
１０８…放送受信部、
１０９…映像処理部、
１０９ｂ…ディスプレイ（表示部）、
１１０…音声処理部、
１１１…計時部、
２００…録画補完機能部、
２０１…コンテンツ入手処理部、
２０３…一時録画検索部、
２０４…ＥＰＧ検索部、
２０５…放送局ＨＰ検索部、
２０８…無料ＶＯＤ検索部、
２１０…有料ＶＯＤ検索部。
【図１】
2018050165.tif 000003
【図２】
2018050165.tif 000004
【図３】
2018050165.tif 000005
【図４】
2018050165.tif 000006
【図５】
2018050165.tif 000007
【図６】
2018050165.tif 000008
【図７】
2018050165.tif 000009
【図８】
2018050165.tif 000010
【図９】
2018050165.tif 000011
【図１０】
2018050165.tif 000012